(57)【要約】      （修正有）【課題】より一層取り扱い易く、汎用の容器本体を使用することができ、製造コストの嵩まない生花輸送用容器を提供する。【解決手段】上面に開口部１２が設けられ、生花Ｆの輸送時や保管時に生じる生花Ｆの乾燥や萎れの防止に必要な量の保水用の水を貯溜する容器本体１０と、この容器本体１０の開口部１２に対し水密状態に装着可能とされ、容器本体１０内に入れられる生花Ｆの束を、容器本体１０の底面に対して起立状態で保持するとともに、転倒時には容器本体１０から水が漏出するのを防止する蓋２とを備え、蓋２には、容器本体１０内へ延びる生花保持筒２１が設けられ、生花保持筒２１には、転倒時に容器本体１０内に貯留された水の漏出を堰き止める堰止片２１ａが設けられている。【選択図】図１
0003196919.tif 000002
【実用新案登録請求の範囲】
【請求項１】
上面に開口部が設けられ、生花の輸送時や保管時に生じる生花の乾燥や萎れの防止に必要な量の保水用の水を貯溜する容器本体と、
この容器本体の開口部に対し水密状態に装着可能とされ、容器本体内に入れられる生花の束を、容器本体の底面に対して起立状態で保持するとともに、転倒時には容器本体から前記水が漏出するのを防止する蓋とを備え、
前記蓋には、前記容器本体内へ延びる生花保持筒が設けられ、
前記生花保持筒には、転倒時に前記容器本体内に貯留された水の漏出を堰き止める堰止片が設けられていることを特徴とする生花輸送用容器。
【請求項２】
請求項１に記載の生花輸送用容器であって、
前記堰止片は、前記生花保持筒の全周に亘って形成されていることを特徴とする生花輸送用容器。
【請求項３】
請求項１又は２に記載の生花輸送用容器であって、
前記堰止片の縁は、転倒時における保水用の水面に対して平行となるように設けられていることを特徴とする生花輸送用容器。
【考案の詳細な説明】
【技術分野】
【０００１】
本考案は、生花輸送用容器に関し、特に、輸送時や保管時であっても生花に常時保水用の水を供給し続け、輸送時や保管時に生じ易い生花の乾燥や萎れを防止しうるとともに、転倒させても保水用の水が外部に漏出することのない生花輸送用容器に関する。
【背景技術】
【０００２】
生花、特に切り花を、生産地から卸売市場まで、また卸売市場から販売店まで輸送する際、大半は、偏平な段ボール箱を使用し、この箱内に切り花を横に寝かせた状態で収容しているが、輸送中、切り花には給水が全く行われないため、この方法では目的地に到着するまで切り花の鮮度を保つのは困難であった。
【０００３】
そこで、従来、容器に保水用の水を貯溜しておき、この容器に切り花を挿入して輸送する方法が考えられ、その輸送方法に適する容器が提案されている（例えば、特許文献１参照。）。
【０００４】
この容器は、上方を開口した防水性下容器の上方の開口周縁部に、底面を開口した上容器の底面の開口周縁を脱着自在に係合して細長の植物収納容器本体を形成するとともに、下容器又は上容器に給水孔を設けたものである。
【０００５】
しかしながら、上記したような容器にあっては、輸送中や保管中に転倒すると、容器内部の水が外に流出してしまい、水の補給ができない場合は、収容した切り花が乾燥したり萎れたりし、商品価値がなくなってしまうといった問題があった。また、容器から流出した水が周囲を汚損するといった問題もあった。さらに、容器本体から水が流出しないよう容器を常に起立状態で使用する必要があることから、輸送時や保管時に嵩高くならざるを得ず、輸送量や保管量に制約を受けるといった問題もあった。
【０００６】
このような問題を解決するものとして、転倒しても容器内の水が外部に流出する虞のない切り花用包装容器が提案されている（例えば特許文献２参照。）。
【０００７】
特許文献２記載の容器は、生花の保水用の水を貯溜する容器本体と、生花の束を容器本体の底面に対して起立状態で保持するとともに、転倒時には容器本体から水が漏出するのを防止する蓋とを備え、容器本体は、上面に開口部を設け、蓋は、容器本体の開口部に対し水密状態に装着可能とし、容器本体内へ延びる生花保持筒を設け、転倒時、水の全量が、容器本体と生花保持筒との間の空間に滞留可能となるように構成されている。そして、この容器には、生花挿入時に保持筒の姿勢が崩れるのを防止するための保持筒支持手段や、転倒時に生花保持筒が床面と接する側壁側に沈下するのを防止する保持筒沈下防止手段が容器本体の内面適所に設けられている。
【０００８】
この容器は、上記した構成を有することにより、この種の容器に対して市場から求められている要求、すなわち、輸送時や保管時における保水用水の常時供給、生花の乾燥や萎れの防止、起立時の安定性確保、転倒時における保水用水の漏出防止、横積みの状態での輸送及び保管の達成、輸送及び保管時の省スペース化、優れた取扱性、低い製造コスト、保水用水量の低減化による輸送重量の軽減化等々に応えることができるものである。
【先行技術文献】
【特許文献】
【０００９】
【特許文献１】実用新案登録第３０５５６６３号公報
【特許文献２】特開２００４−０５９０４１号公報
【考案の概要】
【考案が解決しようとする課題】
【００１０】
しかしながら、市場が製品に求める要求は、通常、留まるところを知らないのが現状であり、この種の容器の分野もその例外ではなく、市場からは、上記した各要求に加えて、さらなる取扱の容易性及び製造コストの低減化が望まれている。
【００１１】
すなわち、特許文献２記載の容器では、生花保持筒を有する蓋と、保持筒支持手段や保持筒沈下防止手段を有する容器本体とを個別に設計及び加工する必要があり、特に、生花保持筒に対応させて、保持筒支持手段や保持筒沈下防止手段を設計することは、手間がかかるとともに、製造コストがかかっていた。
【００１２】
本考案は、このような事情に鑑み創案されたもので、輸送時や保管時であっても生花に常時保水用の水を供給し続け、輸送時や保管時に生じ易い生花の乾燥や萎れを防止し、転倒させても保水用の水が外部に漏出することがないのは勿論のこと、より一層取り扱い易く、汎用の容器本体を使用することができ、製造コストの嵩まない生花輸送用容器を提供するものである。
【課題を解決するための手段】
【００１３】
上記目的を達するために、本考案は次のとおりの構成としている。
【００１４】
本考案に係る生花輸送用容器は、上面に開口部が設けられ、生花の輸送時や保管時に生じる生花の乾燥や萎れの防止に必要な量の保水用の水を貯溜する容器本体と、この容器本体の開口部に対し水密状態に装着可能とされ、容器本体内に入れられる生花の束を、容器本体の底面に対して起立状態で保持するとともに、転倒時には容器本体から前記水が漏出するのを防止する蓋とを備え、前記蓋には、前記容器本体内へ延びる生花保持筒が設けられ、前記生花保持筒には、転倒時に前記容器本体内に貯留された水の漏出を堰き止める堰止片が設けられていることを特徴とする。
【００１５】
このような構成により、生花の輸送時等に生花輸送用容器が転倒しても、生花保持筒に設けられた堰止片によって、容器本体内に貯留された水が外部に漏出することを防止することができる。これにより、本考案では、蓋に設けた生花保持筒に堰止片を形成するだけで、容器本体については何ら特別な設計及び加工を必要としないので、従来の容器よりも簡素な構造であり、製造コストを低減することができる。
【００１６】
上記の生花輸送用容器であって、前記堰止片は、前記生花保持筒の全周に亘って形成されている構成とする。
【００１７】
このような構成により、堰止片は生花保持筒の内周面の全周に亘って形成されているので、生花輸送用容器の転倒の仕方によらずに、堰止片によって確実に容器本体内に貯留された水が外部に漏出することを防止することができる。
【００１８】
上記の生花輸送用容器であって、前記堰止片の縁は、転倒時における保水用の水面に対して平行となるように設けられている構成とする。
【００１９】
このような構成により、堰止片の縁は転倒時に保水用の水面に対して平行となるように設けられているため、堰止片によって確実に容器本体内に貯留された水が外部に漏出することを防止することができる。
【考案の効果】
【００２０】
本考案によれば、より一層取り扱い易く、汎用の容器本体を使用することができ、製造コストの嵩まない生花輸送用容器を提供できる。
【図面の簡単な説明】
【００２１】
【図１】本考案に係る生花輸送用容器を示す斜視図である。
【図２】本考案に係る生花輸送用容器の平面図である。
【図３】本考案に係る生花輸送用容器を転倒させた状態を示す断面図である。
【図４】本考案に係る生花輸送用容器の他の実施形態の平面図である。
【考案を実施するための形態】
【００２２】
以下、本考案の実施の形態について、図面を参照しながら説明する。
【００２３】
図１は、本考案に係る生花輸送用容器を示す斜視図、図２は、本考案に係る生花輸送用容器の平面図、図３は、本考案に係る生花輸送用容器を転倒させた状態を示す断面図、図４は、本考案に係る生花輸送用容器の他の実施形態の平面図である。
【００２４】
この生花輸送用容器１は、生花Ｆの輸送時や保管時に生じる生花Ｆの乾燥や萎れの防止に必要な量の保水用の水Ｗ（図３参照）を貯溜する容器本体１０と、この容器本体１０内に入れられる生花Ｆの束を、容器本体１０の底面１１に対して起立状態で保持するとともに、転倒時には容器本体１０から水Ｗが漏出するのを防止する蓋２とを備えたものである。
【００２５】
容器本体１０は、その上面に開口部１２が設けられ、この開口部１２の周囲におけるフランジ部１３に蓋係合用リブ１４が周設されるとともに、全体が裾窄まりに形成されている。また、この実施の形態においては、容器本体１０は、平面視略矩形状に形成されており、４つの側壁１５と、これら側壁１５の下部に凹部１６を有している。
【００２６】
なお、凹部１６を有しているので、生花Ｆの束を好適に保持するとともに、起立時、少ない水量でも、生花Ｆの水揚げが良好に行われるよう水深（容器底面から水面までの距離）を深くすることができる。その上、このように水の全体量が少ないものとなるため、転倒時においては水深（容器側面から水面までの距離）を浅くすることができ、生花Ｆの水揚げの促進、転倒時の水漏れ、輸送重量の削減の３つを同時に達成することが可能となる。さらに、凹部１６が補強リブとしての機能を発揮するので、容器本体１０の強度が高められている。
【００２７】
このように構成される容器本体１０は、容器本体１０中の保水用の水Ｗの水位が容器本体１０外部からもわかるように透明もしくは半透明の合成樹脂から成形されるのが好ましい。また、適正な量の水を補給し得るように、側壁１５の適所に水位表示部を設けておいてもよい。なお、容器本体１０の材質は、上記したような合成樹脂に限るものではなく、例えば剛性を有する紙で容器本体１０全体を成形し、その表面に防水性皮膜を設けたものであってもよい。その場合、中の水Ｗの水位（液面レベル）が容器本体１０外部からも判るよう、側壁１５ の一部に透視窓を設けておくとよい。
【００２８】
以上説明したように、容器本体１０を全体形状が裾窄まりとなるよう成形した場合、複数個の容器本体１０同士を容易にスタックすることができ、不使用時の保管スペースを最小のものとすることができる。
【００２９】
なお、容器本体１０の構成は、蓋２を水密状態で装着し得るものであれば、この例に限るものではない。
【００３０】
また、容器本体１０は、側壁１５の少なくとも一部に、外部の床面と安定して接する平滑面を有しているとよい。すなわち、容器本体１０の横断面形状を蒲鉾型、矩形、多角形、三角形等に形成することで、転倒時、別途器具等を用いずとも容器本体１０が転倒するのを防止することができる。また、容器本体１０の側壁１５に、強度を高めるとともに装飾的効果を有する複数の溝（不図示）を有していてもよい。
【００３１】
蓋２は、容器本体１０の開口部１２に対応して形成されたものであって、平面視略矩形状に形成されており、開口部１２に対し水密状態に装着可能とされるとともに、天面部２０から容器本体１０内へ延びる生花保持筒２１が設けられたものである。この蓋２には、周囲に容器本体１０の蓋係合用リブ１４と嵌合する嵌合リブ２２が設けられている。なお、蓋２は、容器本体１０への装着の容易性や、軽さ・強度を確保する観点から合成樹脂で形成されている。
【００３２】
生花保持筒２１は、裾窄まりに形成されている。このように、生花保持筒２１を裾窄まりに形成しておくと、不使用時、複数個の蓋２同士をスタックすることができ、保管スペースを節減することが可能となる。さらに、生花保持筒２１の内径が異なる複数種類の蓋２を予め用意しておくことで、生花Ｆの束の太さに応じて適宜その太さに適合する内径をもった別の蓋２と交換して使用することができ、生花Ｆの出荷作業を容易なものにすることができる。生花保持筒２１の下端には、転倒時に容器本体１０内に貯留された水Ｗの漏出を堰き止める堰止片２１ａが設けられている。
【００３３】
堰止片２１ａは、その縁が、転倒時における保水用の水面に対して平行となるように形成されており、本実施形態では、生花保持筒２１の隅部を除いて全周に亘って、生花保持筒２１の中心方向に向けて延設されている（図２参照）。なお、堰止片２１ａは、この形態に限られず、例えば、生花保持筒２１の隅部を含んだ全周に亘って延設されていてもよいし、図４に示すように、生花保持筒２１の全周に亘って円形状に堰止片２１ａが形成されていてもよい。
【００３４】
以上のようになる生花輸送用容器１は、蓋２が容器本体１０の開口部１２に上記各リブ１４、２２によって水密状態に装着されているとともに、生花保持筒２１には堰止片２１ａが設けられているので、生花の輸送時等に生花輸送用容器１が転倒しても、生花保持筒２１に設けられた堰止片２１ａによって、容器本体１０内に貯留された水Ｗが外部に漏出することを防止することができる。これにより、本考案では、蓋２の生花保持筒２１に堰止片２１ａを形成するだけで、容器本体１０については何ら特別な設計及び加工を必要としないので、従来の容器よりも簡素な構造であり、製造コストを低減することができる。
【００３５】
なお、生花保持筒２１は、その一部が蛇腹状に形成されており、周方向に伸縮可能とされていてもよい。生花保持筒２１が蛇腹状に形成されている場合は、容器本体１０を転倒させた状態を長期間継続させた時に、生花Ｆの重みにより堰止片２１ａが保水用の水面付近まで垂下しようとすることを蛇腹が伸びることで効果的に防止することができる。
【００３６】
なお、上記に示した本考案の実施形態はいずれも本考案を具体化した例であって、本考案の技術的範囲を限定する性格のものではない。
【符号の説明】
【００３７】
１      生花輸送用容器
２      蓋
１０    容器本体
１１    底面
１２    開口部
１３    フランジ部
１４    蓋係合用リブ
１５    側壁
１６    凹部
２０    天面部
２１    生花保持筒
２１ａ  堰止片
２２    嵌合リブ
Ｆ      生花
Ｗ      水
【図１】
0003196919.tif 000003
【図２】
0003196919.tif 000004
【図３】
0003196919.tif 000005
【図４】
0003196919.tif 000006